(57)【特許請求の範囲】
【請求項１】
消火設備の配管に、消火剤収納配管部を設け、該消火剤収納配管部に固体状の消火剤を収納し、該配管内に消火水が流れる際に、該固体状の消火剤が該消火水に溶ける消火設備において、
前記消火剤収納配管部は、三つの開口部を有する略Ｙ字状又は略Ｔ字状に形成され、
該三つの開口部のうち、上方開口部を中継配管部を介して前記配管に連結して、下方開口部に消火ヘッドが取り付けられ、かつ残りの開口部を、消火剤交換用の差し込み口として構成し、消火剤交換用キャップを設けると共に、
前記消火剤収納配管部は、前記上方開口部と下方開口部とを直線状に連絡する主管部と、該主管部より分岐し、該主管部と前記残りの開口部とを連絡する分岐管部とを有し、
前記固体状の消火剤を、消火剤の長手方向側面を前記主管部を流れる消火水の流れに対して対向する状態で該分岐管部に収納したことを特徴とする消火設備。
【請求項２】
前記固形状の消火剤は、消火水との接触面に斜面の部分を設けた、そろばん玉型タブレット状固形消火剤であることを特徴とする請求項１記載の消火設備。
【請求項３】
前記消火設備の配管は、前記固体状の消火剤が収納される部分の上流側に火災発生時に開放される感熱開放弁が設けられ、該感熱開放弁の下流側は常時においては消火水が充填されていない空配管であることを特徴とする請求項１記載の消火設備。
【発明の詳細な説明】
【０００１】
【発明の属する技術分野】
この発明は、消火設備に関するもので、特に泡消火を行う消火設備に関する。
【０００２】
【従来の技術】
消火設備には、水消火を行うものや、泡消火を行うもの等がある。
尚、本願明細書において、泡消火とは、泡ヘッドを用いて泡水溶液を泡状にして放出するものだけでなく、泡ヘッドを用いずにスプリンクラヘッドを用いて泡水溶液を液状のまま放出するものも含むものとする。
【０００３】
泡消火を行う消火設備は、石油、ガソリン等の可燃性液体の火災の様に、水消火が困難な火災を対象とする場合に主に採用されており、例えば自動車が多数置かれる駐車場等の様に可燃性液体による火災が生じ得る場所に設備されていることが多い。
【０００４】
従来の泡消火を行う消火設備を図１３に基づき説明する。尚、図１３に示す例は、ビルの駐車場に設備される消火設備の例であり、車両が駐車される駐車場においては泡消火を行い、駐車場に隣接する場所や、ビルの他のフロア等においては水消火を行う様構成されている。
【０００５】
図１３において、水が貯水された貯水槽１０１を基端とする泡消火系配管１００には、配管１００中に圧力を加えるポンプ１０２、泡の原液が充填された泡原液槽１０３、水と泡原液とを混合する混合器１０４と、混合器１０４で混合された泡水溶液が通過することを検知する流水検知装置１０５、火災発生時等に弁を開放する一斉開放弁１０６、一斉開放弁１０６より分岐し、火災を感知して一斉開放弁１０６の弁を開放する目的で設けられる感知ヘッド１０７、一斉開放弁１０６より分岐し、泡水溶液を泡状にして放出する泡ヘッド１０８等が設けられている。
【０００６】
又、図１３において、水が貯水された貯水槽１０１を基端とする水消火系配管２００には、配管２００中に圧力を加えるポンプ２０２、水が通過するのを検知する流水検知装置２０３、火災を感知して水を放出する閉鎖型スプリンクラヘッド２０４等が設けられている。
【０００７】
図１３に示す従来例では、泡消火系配管１００において、貯水槽１０１から混合器１０４までは水（斜線ハッチ部分）が、混合器１０４から一斉開放弁１０６、そして一斉開放弁１０６より分岐して感知ヘッド１０７までは泡水溶液（塗りつぶしハッチ部分）が常時充填されていることとなる。
【０００８】
【発明が解決しようとする課題】
上記従来例は泡消火を行う消火設備の一例であるが、上記従来例に限らず従来の泡消火を行う消火設備においては、その配管には泡水溶液が常時充填されている。このため、次の如き問題がある。
▲１▼感知ヘッドの暴発等により、非火災時に泡ヘッドから泡が放出されてしまうことがある。この場合、後始末が非常に面倒であるとともに廃棄にコストがかかる。更には、泡水溶液の中には環境上好ましくない物質が含まれていることもあり、非火災時に泡が放出されることは環境面を考慮すれば好ましいものではない。
▲２▼設備後長期間経過すると、泡水溶液が充填されている箇所の各機器における動作部分が固着してしまうこともある。
▲３▼水消火と泡消火の双方を行う消火設備を構成する場合、泡消火を行うためには配管に泡水溶液を充填しておく必要があることから、水消火を行うための配管と泡消火を行うための配管とを上記図１３の例の水消火系配管２００と泡消火系配管１００の様に別系統の配管とする必要があり、更に同例の様にポンプ等をそれぞれ設ける必要があり、設備コストが高い。
【０００９】
この発明は、上記事情に鑑み、泡消火を行うための配管内に泡水溶液を充填しておく必要をなくすることができる消火設備を提供することを目的とする。
【００１０】
【課題を解決するための手段】
上記目的を達成するこの発明について述べれば、それは、消火設備の配管に、消火剤収納配管部を設け、該消火剤収納配管部に固体状の消火剤を収納し、該配管内に消火水が流れる際に、該固体状の消火剤が該消火水に溶ける消火設備において、前記消火剤収納配管部は、三つの開口部を有する略Ｙ字状又は略Ｔ字状に形成され、該三つの開口部のうち、上方開口部を中継配管部を介して前記配管に連結して、下方開口部に消火ヘッドが取り付けられ、かつ残りの開口部を、消火剤交換用の差し込み口として構成し、消火剤交換用キャップを設けると共に、前記消火剤収納配管部は、前記上方開口部と下方開口部とを直線状に連絡する主管部と、該主管部より分岐し、該主管部と前記残りの開口部とを連絡する分岐管部とを有し、前記固体状の消火剤を、消火剤の長手方向側面を前記主管部を流れる消火水の流れに対して対向する状態で該分岐管部に収納したことを特徴とする消火設備、である。
【００１１】
この発明によれば、火災発生時配管内に消火水を流してそれに消火剤を溶かすことで、消火水を泡水溶液にすることができるので、泡消火を行うための配管内に泡水溶液を常時充填しておく必要をなくすることができる。
【００１２】
又、この発明によれば、容易に消火剤の交換をすることができ、そして、消火剤の長手方向側面を消火水の流れに対して対向するが如き向きに向けた状態で収納することができることから、消火剤と消火水との接触面積を増加させて、消火剤を溶け易くすることもできる。
【００１３】
又、上記発明において、前記固体状の消火剤は、一定の形状に固形化された固形消火剤であることが好ましく、更に好ましくは、中心に孔を有する形状に固形化されていることが好ましい。中心に孔を有する形状としては、例えば、中心に孔を有する円柱形状（ちくわ形状）のものや、中心に孔を有するタブレット形状（ドーナツ形状やそろばん玉形状）のもの等がある。前記固体状の消火剤を中心に孔を有する形状に固形化された固形消火剤とすることで、消火水は固形消火剤における中心の孔を通ることとなるので、消火剤と消火水との接触面積が増加し、消火剤は溶け易くなる。又、固形消火剤における中心の孔は、消火水の流路となるので、ヘッド側への給水量を十分に確保できる。
【００１４】
尚、前記固体状の消火剤は、一定の形状に固形化されているのが好ましいが、粉状又は粒状の消火剤を用いるようにしてもよい。粉状又は粒状の消火剤を用いる場合には、例えば、粉状又は粒状の消火剤を水溶性又は透水性のフィルム状の材料により形成した収納袋等に収納したものを用いるのが好ましい。
【００１５】
又、上記発明において、前記固体状の消火剤は、前記消火設備の配管に設けられた消火剤収納筒に収納されるものであることが好ましい。これによれば、消火剤は、消火剤収納筒内に収納されて配管に設けられることとなり、消火設備の配管において所定位置に保持される。
【００１６】
又、上記発明において、前記消火剤収納筒は、多数の孔があいた多孔板、例えばメッシュ板によって形成され、上端及び又は下端が分流板によって蓋をされていることが好ましい。これによれば、消火剤収納筒が多孔板によって形成されていることから、消火剤と消火水との接触面積が増加し、消火剤が溶け易くなる。又、消火剤収納筒の下端を分流板によって蓋をすることで、消火剤が欠けたりしても、消火ヘッドが詰まることがないようにすることができる。更に、消火剤収納筒の上端を分流板によって蓋をすることで、供給される消火水を消火剤に当たり易く分流させることができる。
【００１７】
又、上記発明において、前記消火設備の配管は、前記固体状の消火剤が収納される部分の上流側に火災発生時に開放する感熱開放弁が設けられ、該感熱開放弁の下流側は常時においては消火水が充填されていない空配管であることが好ましい。これによれば、感熱開放弁の下流側だけを泡消火を行う設備とすることができ、同一系統の配管において、感熱開放弁の上流側を水消火を行う設備とし、感熱開放弁の下流側を泡消火を行う設備とすることができる。このため、水消火と泡消火の両方を行う消火設備を設備する場合に、水消火を行うための配管と泡消火を行うための配管とを別系統にしなければならなかった従来例に比して、設備を簡略化して構成することができるとともに、より安価に設備を構成することができる。
【００１８】
【発明の実施の形態】
この発明の実施の形態を添付図面に基づき説明する。
【００１９】
図１は、この発明の消火設備を駐車場の消火設備に適用する場合の一例の常時における状態の設備全体の概略を示すもので、駐車場部分には泡消火を行い、駐車場に隣接する部分には水消火を行う構成としたものである。
【００２０】
図１において、消火設備１は、消火水が貯水された貯水槽２を基端とする配管３を備えている。配管３には、配管３中に圧力を加えるポンプ４、配管３内を消火水が通過するのを検知する流水検知装置５、駐車場に隣接する場所に配置され、水消火を行うための閉鎖型スプリンクラヘッド６、駐車場に配置され、泡消火を行うための泡消火配管部７とが順次設けられている。
【００２１】
泡消火配管部７は、継手であるとともに火災発生時熱を感知して弁を開放する感熱開放弁（以下、感熱開放継手ともいう）８を介して配管３に設けられており、中継配管部９、内部に固体状の消火剤を収納した消火剤収納配管部１０、泡水溶液を泡状にして放出する泡ヘッド１１とからなる。
【００２２】
内部に固体状の消火剤を収納した消火剤収納配管部１０は、消火水が内部に流入したときに、その消火水に固体状の消火剤が溶ける如く構成されており、又、固体状の消火剤が消火水に溶けることによって生成される泡水溶液を泡ヘッド１１に供給する如く構成されている。
【００２３】
消火剤収納配管部１０に収納する固体状の消火剤は、一定の形状に固形化されているものを用いるのが好ましく、更には消火水に溶け易い形状に固形化されているものを用いるのが好ましい。
【００２４】
消火剤収納配管部１０に収納する固体状の消火剤の例については後記において説明する。
【００２５】
尚、消火剤収納配管部１０に収納する固体状の消火剤は、上記の如く一定の形状に固形化されているものを用いるのが好ましいが、それに代えて、粉状又は粒状の消火剤を用いるようにしてもよい。その場合、例えば、粉状又は粒状の消火剤を水溶性又は透水性のフィルム状の材料により形成した収納袋等に収納したものを用いるのが好ましい。又、固体状の消火剤は、半固体状、即ちジェル状としてもよい。又、液状の消火剤を利用することも考えられるが、この場合には、消火水が流れる際、少しずつ液状の消火剤を消火水に溶け込ませる機構が必要となる。
【００２６】
図１においては、消火剤収納配管部１０として、その外観がストレート形をなすものとＹ字形をなすものとが示されているが、それらの詳細についてはストレート形消火剤収納配管部１２とＹ字形消火剤収納配管部１４として後記において説明する。
【００２７】
感熱開放継手８は、継手であるとともに火災発生時熱を感知して弁を開放するものであればよいが、例えば特開平１０−１０８９１７号公報に開示されているものを用いるのが好ましい。特開平１０−１０８９１７号公報に開示されている感熱開放継手（同公報におけるスプリンクラヘッド取付具１）を用いることで、この実施の形態における感熱開放継手８と泡ヘッド１１の様に、感熱部とヘッド部分とを離間させることができるので、感熱部は感熱に最適の位置に配置し、ヘッド部分は放出に最適の位置に配置させることができる。
【００２８】
尚、感熱開放継手８を用いる代わりに、起動手段を別途設ける必要はあるが、公知の一斉開放弁を配管３の適宜位置に設け、その下流に泡消火配管部７を設けるようにしてもよい。
【００２９】
更に、泡ヘッド１１は、発泡手段を備えており、泡水溶液を泡状にした上で放出するものであるが、この泡ヘッド１１に代えて、発泡手段を備えていない放出ヘッドを用いてもよい。この場合、放出される泡水溶液は、ほとんど発泡することなく液状のまま放出されるが、デフレクタ等に衝突させることで液滴状にして飛散させることができ、又この液滴状に放出される泡水溶液は泡に比して重いので遠方まで飛散させることができるとともに火炎中に直接飛び込ませることができる。このため、泡ヘッド１１を噴霧ヘッドと呼ぶ場合がある。
【００３０】
消火設備１の配管３においては、図１に斜線ハッチングで示す通り、その基端部３ａから感熱開放継手８までは常時消火水が充填されているが、感熱開放継手８は常時においては弁体を閉じているので、泡消火配管部７は常時においては所謂空配管であり、常時においては消火水は充填されていない。
【００３１】
閉鎖型スプリンクラヘッド６は、配管３における常時において消火水が充填されている部分に設けられており、スプリンクラヘッド６が開放すれば、スプリンクラヘッド６からは消火水が放出されることとなる。従って、消火設備１によれば、閉鎖型スプリンクラヘッド６が配置されている駐車場に隣接する場所においては、水消火が行われることとなる。
【００３２】
泡消火用配管部７は常時においては空配管であるが、感熱開放継手８の感熱部が火災時の熱を感知してその弁を開放すると、泡消火用配管部７には消火水が流入ることとなる。泡消火用配管部７に消火水が流入すると、その消火水は、中継配管部９を通過して消火剤収納配管部１０に至り、そこで消火剤収納配管部１０に収納されている固体状の消火剤を溶かして泡水溶液となる。そして、その泡水溶液は泡ヘッド１１から泡状となって放出されることとなる。従って、消火設備１によれば、泡消火用配管部７が配置されている駐車場においては、泡消火が行われることとなる。
【００３３】
上記の如き消火設備１によれば、泡消火を行うことができる構成を備えていながら、泡水溶液を配管中に常時充填しておく必要がない消火設備を構成することができる。
【００３４】
又、消火設備１が正にそうであるが、上記の如き消火設備１によれば、泡水溶液を配管中に常時充填しておかなくても泡消火を行う構成を備えることができることから、水消火を行う構成と泡消火を行う構成とを同一系統の配管に併設することができる消火設備を構成することができる。
【００３５】
図２乃至６は、この発明の消火剤収納配管部１０の一例であるストレート形消火剤収納配管部１２を示すもので、図２はストレート形消火剤収納配管部１２の縦断面図、図３は図２のＡ−Ａ線断面図、図４は図２のＢ−Ｂ線断面図、図５は図２のＣ−Ｃ線断面図、図６は消火水（泡水溶液）の流れを示すストレート形消火剤収納配管部１２の断面図である。
【００３６】
図２乃至６において、ストレート形消火剤収納配管部１２は、直筒状のストレート形外管部１２ａによって構成され、その上方開口部１２ｂには中継配管部９が連結され、その下方開口部１２ｃには消火剤交換用ソケット１２ｄを介して泡ヘッド１１が取り付けられている。ストレート形外管部１２ａは、その内部に薄板により形成された第一の消火剤収納筒１２ｅを有している。第一の消火剤収納筒１２ｅの外側面はストレート形外管部１２ａの内壁に略接触している。更に、第一の消火剤収納筒１２ｅは、その上下の開口部を蓋する如く設けられた分流板１２ｆと同１２ｇを有し、又、その内部に、多孔板、例えばメッシュ板により形成され、消火剤１３を第一の消火剤収納筒１２ｅに支持する第二の消火剤収納筒１２ｈ及び第三の消火剤収納筒１２ｉを有している。
【００３７】
第二の消火剤収納筒１２ｈと第三の消火剤収納筒１２ｉは、分流板１２ｆ又は分流板１２ｇに固定されており、第一の消火剤収納筒１２ｅ内において一定位置に保持され、第一の消火剤収納筒１２ｅと同心状になる如く配置されている。
【００３８】
消火剤１３は、固体状の消火剤で、中心に孔を有する形状に固形化されており、第二の消火剤収納筒１２ｈと第三の消火剤収納筒１２ｉとの間に収納され、第二の消火剤収納筒１２ｈと第三の消火剤収納筒１２ｉによって第一の消火剤収納筒１２ｅに支持されている。
【００３９】
尚、第一の消火剤収納筒１２ｅは、ストレート形外管部１２ａの内壁に形成された上方ストッパ部１２ｊにより上流端方向への移動が規制され、消火剤交換用ソケット１２ｄの内壁に形成された下方ストッパ部１２ｋにより下流端方向への移動が規制されている。これにより、第一の消火剤収納筒１２ｅはストレート形外管部１２ａ内において一定位置保持されている。
【００４０】
分流板１２ｆ、１２ｇは、中心に位置する内側分流孔１２ｍ、１２ｎと、その周囲に位置する複数の外側分流孔１２ｐ、１２ｒを有している。内側分流孔１２ｍ、１２ｎは、第三の消火剤収納筒１２ｉの内側に形成される内側流路１２ｓに対し上下方向において重なる如き位置に設けられ、外側分流孔１２ｐ、１２ｒは、第二の消火剤収納筒１２ｈの外側に形成される外側流路１２ｔに対し上下方向において重なる如き位置に設けられている。これにより、分流板１２ｆの内側分流孔１２ｍと外側分流孔１２ｐを介しての内側流路１２ｓと外側流路１２ｔへの流入と、分流板１２ｇの内側分流孔１２ｎと外側分流孔１２ｒを介しての内側流路１２ｓと外側流路１２ｔからの流出を円滑にすることができる。
【００４１】
図６に示す如く、ストレート形消火剤収納配管部１２に消火水Ｗが流れてくると、その流れは分流板１２ｆの内側分流孔１２ｍと外側分流孔１２ｐによって、内側流路１２ｓを流れる流れ（矢印Ａ１）と外側流路１２ｔを流れる流れ（矢印Ａ２）とを形成するが、その流れは、メッシュ板により形成された第二の消火剤収納筒１２ｈと第三の消火剤収納筒内壁１２ｉから消火剤１３側にも流入して消火剤１３を溶かすこととなるので、それにより消火水Ｗは泡水溶液ＷＦとなり、分流板１２ｇの内側分流孔１２ｎと外側分流孔１２ｒとからそれぞれ流出（矢印Ａ３、矢印Ａ４）することとなる。そして、泡水溶液ＷＦは、ストレート形消火剤収納配管部１２の下端に取り付けられた泡ヘッド１１から泡状又は液状のまま放出されることとなる。
【００４２】
消火剤１３の交換を行う（消火剤は定期的に交換するのが好ましい）際には、消火剤交換用ソケット１２ｄをストレート形外管部１２ａから取り外して行う。この取り外し操作を容易に行うことができるようにするために、図２乃至５の例において消火剤交換用ソケット１２ｄは所謂ワンタッチで取り外しを行うことができる構成としてある。尚、十字状のクロス継手を使用して、水平方向にストレート形外管部１２ａを設けることで、消火水の流れに対して消火剤を垂直方向に対向させた向きで設けるようにしてもよい。
【００４３】
図７乃至１１は、この発明の消火剤収納配管部１０の他の一例であるＹ字形消火剤収納配管部１４を示すもので、図７はＹ字形消火剤収納配管部１４の縦断面図、図８は図７のＡ−Ａ線断面図、図９は図７のＢ−Ｂ線断面図、図１０は図７のＣ−Ｃ線断面図、図１１は消火水（泡水溶液）の流れを示すＹ字形消火剤収納配管部１４の断面図である。
【００４４】
図７乃至１１において、Ｙ字形消火剤収納配管部１４は、三つの開口を有するＹ字状のＹ字形外管部１４ａによって構成され、外管部１４ａの三つの開口のうち、上方開口部１４ｂには中継配管部９が連結され、下方開口部１４ｃには泡ヘッド１１が取り付けられ、消火剤交換用差し込み口を構成する斜め上方開口部１４ｄにはその開口部１４ｄを蓋する如く消火剤交換用キャップ１４ｅが設けられている。Ｙ字形外管部１４ａは、上方開口部１４ｂと下方開口部１４ｃとを直線状に連絡する如く形状を有する主管部１４ｆと、主管部１４ｆより分岐し、主管部１４ｆ内部と斜め上方開口部１４ｄとを連絡する分岐管部１４ｇとからなり、その外観は全体として略Ｙ字形状をなしている。
【００４５】
Ｙ字形外管部１４ａにおける分岐管部１４ｇは、その内部に、多孔板、例えばメッシュ板により形成された第一の消火剤収納筒１４ｈを有しており、第一の消火剤収納筒１４ｈは、その側面の一方の側を主管部１４ｆ内に臨ませるとともに、その下端も主管部１４ｆに臨ませ、更にその上端が主管部１４ｆに対し斜め上方に向く如く配置されており、その上下端の開口部を蓋する如く設けられた分流板１４ｉ、１４ｊを有している。又、第一の消火剤収納筒１４ｈは、その内部に、多孔板、例えばメッシュ板により形成され、消火剤１３を第一の消火剤収納筒１４ｈに支持する第二の消火剤収納筒１４ｋ、第三の消火剤収納筒１４ｍを有している。
【００４６】
第二の消火剤収納筒１４ｋと第三の消火剤収納筒１４ｍは、分流板１４ｉ又は分流板１４ｊに固定されており、第一の消火剤収納筒１４ｈ内において一定位置に保持され、第一の消火剤収納筒１４ｈと同心状になる如く配置されている。
【００４７】
消火剤１３は、固体状の消火剤で、中心に孔を有する形状に固形化されており、第二の消火剤収納筒１４ｋと第三の消火剤収納筒１４ｍとの間に収納され、第二の消火剤収納筒１４ｋと第三の消火剤収納筒１４ｍによって第一の消火剤収納筒１４ｈに支持されている。
【００４８】
尚、第一の消火剤収納筒１４ｈは、消火剤交換用キャップｅに形成された上方ストッパ部１４ｐにより上端方向及び側方への移動が規制され、Ｙ字形外管部１４ａの内壁に形成された下方ストッパ部１４ｒにより下端方向及び側方への移動が規制されている。これにより、第一の消火剤収納筒１４ｈはＹ字形外管部１４ａ内において一定位置保持されている。
【００４９】
分流板１４ｉ、１４ｊは、中心に位置する内側分流孔１４ｓ、１４ｔと、その周囲に位置する複数の外側分流孔１４ｕ、１４ｖを有している。内側分流孔１４ｓ、１４ｔは、第三の消火剤収納筒１４ｍの内周側に形成される内側流路１４ｗに対し上下方向において重なる如き位置に設けられ、外側分流孔１４ｕ、１４ｖは、第二の消火剤収納筒１４ｋの外周側に形成される外側流路１４ｘに対し上下方向において重なる如き位置に設けられている。これにより、分流板１４ｉ、１４ｊにおける内側分流孔１４ｓ、１４ｔ、外側分流孔１４ｕ、１４ｖと、内側流路１４ｗ、外側流路１４ｘとの間の流れを円滑にすることができる。
【００５０】
図１１に示す如く、Ｙ字形消火剤収納配管部１４に消火水Ｗが流れてくると、その流れは主管部１４ｆ上方側から分岐管部１４ｇのメッシュ板により形成された第一の消火剤収納筒１４ｈ内部に流入し、外側流路１４ｘにおける主管部１４ｆに面する側を流れるが、その流れは、上方に向かう流れ（矢印Ａ５）や下方に向かう流れ（矢印Ａ６）等を形成し、このうち、上方に向かう流れ（矢印Ａ５）は、第一の消火剤収納筒１４ｈの上端の分流板１４ｉの外側分流孔１４ｕから第一の消火剤収納筒１４ｈの上方空間１４ｙへの流れ（矢印Ａ７）を形成し、上方空間１４ｙに流出した流れ（矢印Ａ７）は、分流板１４ｉの内側分流孔１４ｓと外側分流孔１４ｕから、内側流路１４ｗへの流れ（矢印Ａ８）と外側流路１４ｘへの流れ（矢印Ａ９）とをそれぞれ形成する。尚、ここで、上方空間１４ｙを形成する消火剤交換用キャップ１４ｅの内面は曲面になっており、上方空間１４ｙから内側流路１４ｗや外側流路１４ｘへの流れを円滑にすることができる様になっている。又、消火水Ｗの流れは、第一の消火剤収納筒１４ｈの周方向に流れる流れや、分岐管部１４ｇの外側部に形成した隆起部内部の隆起空間１４ｚにおいて外側流路１４ｘから第一の消火剤収納筒１４ｈの外周側に流れ出る流れなども形成するが、それらの流れは、隆起空間１４ｚがあることにより、隆起空間１４ｚから外側流路１４ｘを流れる流れに合流する様になっている。この様に分岐管部１４ｇに隆起空間１４ｚを形成することで、さらにその隆起空間部１４ｚを形成する隆起部の内周面を曲面にすることで、水の流れを円滑にし、それにより消火剤１３との接触を高めることができる様になっている。消火水Ｗは、内側流路１４ｗと外側流路１４ｘを流れる際に、メッシュ板により形成される第二の消火剤収納筒１４ｋと第三の消火剤収納筒１４ｍから消火剤１３側にも流入して消火剤１３を溶かすこととなるので、それにより泡水溶液ＷＦとなって分流板１４ｊの内側分流孔１４ｔと外側分流孔１４ｖから主管部１４ｆの下方側にそれぞれ流出（矢印Ａ１０、矢印Ａ１１）することとなる。そして、泡水溶液ＷＦは、Ｙ字形消火剤収納配管部１４の下端に取り付けられた泡ヘッド１１から泡又は液状のまま放出されることとなる。
【００５１】
消火剤１３の交換を行う（消火剤は定期的に交換した方がよい）際には、消火剤交換用キャップ１４ｅを取り外して行う。この取り外し操作を容易に行うことができるようにするために、図６乃至１１の例において消火剤交換用キャップ１４ｅは所謂ワンタッチで取り外しを行うことができる構成になっている。キャップ１４ｅと分流板１４ｉを固定しておいて、キャップ１４ｅを引き抜けば第二の消火剤収納筒１４ｋと第三の消火剤収納筒１４ｍが同時に取り外せるようにしてもよい。
【００５２】
尚、Ｙ字形消火剤収納配管部１４は、その全体の形状が略Ｙ字形をなすものであるが、これに代えて全体の形状が略Ｔ字形をなすもの、即ちＴ字形消火剤収納配管部としてもよい。Ｔ字形消火剤収納配管部の図示は省略するが、Ｙ字形消火剤収納配管部１４における分岐管部１４ｇを主管部１４ｆに対して垂直方向に向けることで、全体として略Ｔ字形をなすＴ字形消火剤収納配管部を構成することができる。このＴ字形消火剤収納配管部によれば、Ｙ字形消火剤収納配管部１４に比して高さを低くすることができる。このため、機械式駐車場に適した消火剤収納配管となる。
【００５３】
図１２の（ａ）乃至（ｃ）は、この発明の固体状の消火剤の例をそれぞれ示し、上記したストレート形消火剤収納配管部１２及びＹ字形消火剤収納配管部１４（Ｔ字形消火剤収納配管部とする場合も含む）に収納される消火剤１３として用いることができるもので、（ａ）はちくわ形固形消火剤１５の斜視図、（ｂ）はドーナツ形タブレット状固形消火剤１６の斜視図、（ｃ）はそろばん玉形タブレット状固形消火剤１７の斜視図である。
【００５４】
図１２の（ａ）乃至（ｃ）において、ちくわ形固形消火剤１５、ドーナツ形タブレット状固形消火剤１６、そろばん玉形タブレット状固形消火剤１７は、それぞれ一定の形状に固形化された固形消火剤であり、中心に軸心方向に貫通する孔１５ａ、１６ａ、１７ａをそれぞれ有している。このように、固体状の消火剤として一定の形状に固形化した固形消火剤を用いることで、設備の際、或いは設備後のメンテナンスの際に、消火剤の取扱いを容易にすることができる。又、中心に孔を有する形状とすることで、消火剤の中心部に消火水の流路を形成することができ、消火剤と消火水との接触面積を広くすることができるので、消火剤を消火水に溶け易くすることができる。
【００５５】
又、図１２の（ｂ）、（ｃ）にそれぞれ示す、ドーナツ形タブレット状固形消火剤１６、そろばん玉形タブレット状固形消火剤１７の例の様に、固形消火剤をタブレット状にすることで、更に消火剤の取扱いを容易にすることができ、又必要となる消火剤の量の調整をタブレットの個数を調整することで行うことができる。
【００５６】
更に、図１２の（ｃ）に示すそろばん形タブレット状固形消火剤１７の例の様に、消火水との接触面に斜面の部分を設けることで、更に消火剤と消火水との接触面積を広くすることができる。特に、消火剤収納配管部１０を略Ｙ字状又は略Ｔ字状のもの（例えば上記Ｙ字形消火剤収納配管部１４やＴ字形消火剤収納配管部）とし、その消火剤収納配管部１０に、消火剤１３を横に寝かした如き状態、即ち消火剤の長手方向側面を消火水の流れに対して対向するが如き向きに向けた状態で収納しておく場合に、消火剤１３としてそろばん形タブレット状固形消火剤１７を用いると、消火剤１７の斜面の部分に消火水が当たり易くなるので、より消火剤は溶けやすくなる。
【００５７】
【発明の効果】
この発明は、上記の如く構成したので、次の如き効果を得ることができる。
【００５８】
この発明によれば、火災発生時配管内に消火水を流してそれに消火剤を溶かすことで、消火水を泡水溶液にすることができるので、泡消火を行うための配管内に泡水溶液を常時充填しておく必要をなくすることができる。
【００５９】
又、この発明によれば、固体状の消火剤を中心に孔を有する形状に固形化された固形消火剤とすることで、消火水は固形消火剤における中心の孔を通ることとなるので、消火剤と消火水との接触面積が増加し、消火剤は溶け易くなる。又、固形消火剤における中心の孔は、消火水の流路となるので、ヘッド側への給水量を十分に確保できる。
【００６０】
又、この発明によれば、固体状の消火剤を消火剤収納筒に収納するようにすることで、固体状の消火剤を配管における所定の位置に保持することができる。
【００６１】
又、この発明によれば、消火剤収納筒を多孔板によって形成することで、消火剤と消火水との接触面積を増加させ、消火剤を溶け易くすることができ、消火剤筒の下端を分流板によって蓋をすることで、消火剤が欠けたりしても、消火ヘッドが詰まることがないようにすることができ、消火剤収納筒の上端を分流板によって蓋をすることで、供給される消火水を消火剤に当たり易く分流させることができる。
【００６２】
又、この発明によれば、固体状の消火剤を、略Ｙ字状又は略Ｔ字状の消火剤収納配管部に収納するようにすることで、消火剤を横に寝かした如き状態、即ち消火剤の長手方向側面を消火水の流れに対して対向するが如き向きに向けた状態で収納することができ、消火剤と消火水との接触面積を増加させて、消火剤を溶け易くすることができ、略Ｙ字状又は略Ｔ字状の消火剤収納配管部の三つの開口のうちの一つの開口を消火剤差し込み口とすることで、消火剤の交換を容易に行うことができる。
【００６３】
又、上記発明において、前記消火設備の配管を、固体状の消火剤を収納する部分の上流側に火災発生時に開放する感熱開放弁を有するものとし、その感熱開放弁の下流側は常時においては消火水が充填されていない空配管とすることで、感熱開放弁の下流側だけを泡消火を行う設備とすることができ、同一系統の配管において、感熱開放弁の上流側を水消火を行う設備とし、感熱開放弁の下流側を泡消火を行う設備とすることができる。これにより、水消火と泡消火の両方を行う消火設備を設備する場合に、水消火を行うための配管と泡消火を行うための配管とを別系統にしなければならなかった従来例に比して、設備を簡略化して構成することができるとともに、より安価に設備を構成することができる。
【図面の簡単な説明】
【図１】図１は、この発明の消火設備を駐車場の消火設備に適用する場合の一例の常時における状態の設備全体を示す概略図である。
【図２】図２は、この発明の消火剤収納配管部の一例であるストレート形消火剤収納配管部を示すもので、ストレート形消火剤収納配管部の縦断面図である。
【図３】図３は、図２のＡ−Ａ線断面図である。
【図４】図４は、図２のＢ−Ｂ線断面図である。
【図５】図５は、図２のＣ−Ｃ線断面図である。
【図６】図６は、図２の例のストレート形消火剤収納配管部における消火水の流れを示す縦断面図である。
【図７】図７は、この発明の消火剤収納配管部の他の一例であるＹ字形消火剤収納配管部を示すもので、Ｙ字形消火剤収納配管部の縦断面図である。
【図８】図８は、図７のＡ−Ａ線断面図である。
【図９】図９は、図７のＢ−Ｂ線断面図である。
【図１０】図１０は、図７のＣ−Ｃ線断面図である。
【図１１】図１１は、図７のＹ字形消火剤収納配管部における消火水の流れを示す縦断面図である。
【図１２】図１２の（ａ）乃至（ｃ）は、この発明の固体状の消火剤の例をそれぞれ示すもので、（ａ）はちくわ形固形消火剤の斜視図、（ｂ）はドーナツ形タブレット状固形消火剤の斜視図、（ｃ）はそろばん玉形タブレット状固形消火剤の斜視図である。
【図１３】従来の消火設備の設備全体を示す概略図である。
【符号の説明】
１      消火設備
３      配管
７      泡消火配管部
８      感熱開放継手
１０    消火剤収納配管部
１１    泡ヘッド
１２    ストレート形消火剤収納配管部
１２ｅ  第一の消火剤収納筒
１２ｆ  分流板
１２ｇ  分流板
１２ｈ  第二の消火剤収納筒
１２ｉ  第三の消火剤収納筒
１３    消火剤
１４    Ｙ字形消火剤収納配管部
１４ｈ  第一の消火剤収納筒
１４ｉ  分流板
１４ｊ  分流板
１４ｋ  第二の消火剤収納筒
１４ｍ  第三の消火剤収納筒
１５    ちくわ形固形消火剤
１５ａ  孔
１６    ドーナツ形タブレット状固形消火剤
１６ａ  孔
１７    そろばん玉形タブレット状固形消火剤
１７ａ  孔
【図１】
0003944705.tif 000002
【図２】
0003944705.tif 000003
【図３】
0003944705.tif 000004
【図４】
0003944705.tif 000005
【図５】
0003944705.tif 000006
【図６】
0003944705.tif 000007
【図７】
0003944705.tif 000008
【図８】
0003944705.tif 000009
【図９】
0003944705.tif 000010
【図１０】
0003944705.tif 000011
【図１１】
0003944705.tif 000012
【図１２】
0003944705.tif 000013
【図１３】
0003944705.tif 000014